(57)【要約】      （修正有）【課題】小型軽量で、顔面に装着したまま移動することができる美顔器を提供する。【解決手段】マイクロバブル混入水を生成するマイクロバブル水発生装置２を設け、該装置の水流入口に水を供給する手動ポンプ１５を備え、マイクロバブル水発生装置２を収容するとともに生成したマイクロバブル混入水を貯留する小容量の収容容器１４を設け、収容容器の底部に流出路を形成し、流出路の途中に霧化装置を設け、顔面を覆い顔面との間に空間部を形成するマスク３０を設け、マスクの上部に収容容器１４と流出路と霧化装置とを収容するとともに流出路の出口となり空間部内に連通する噴霧口２７を形成し、マスクを顔に装着する装着具を備え、マスクには少なくとも目と対向する位置に開口３８を設け、マスクの内面に顔面に向けて光を照射する発光素子３５ａ、３５ｂを備えた。【選択図】図２
0003207572.tif 000002
【実用新案登録請求の範囲】
【請求項１】
マイクロバブルを混入した水を生成するマイクロバブル水発生装置を設け、該マイクロバブル水発生装置の水流入口に水を供給する手動ポンプを備え、前記マイクロバブル水発生装置を収容するとともに生成したマイクロバブル混入水を貯留する小容量の収容容器を設け、該収容容器の底部にマイクロバブル混入水の流出路を形成し、該流出路の途中に霧化装置を設け、顔面を覆い顔面との間に空間部を形成するマスクを設け、該マスクの上部に前記収容容器と流出路と霧化装置とを収容するとともに前記流出路の出口となり前記空間部内に連通する噴霧口を形成し、前記マスクを顔に装着する装着具を備え、前記マスクには少なくとも目と対向する位置に開口を設け、前記マスクの内面に顔面に向けて光を照射する発光素子を備えてなることを特徴とする美顔器。
【請求項２】
発光素子はＬＥＤである請求項１に記載の美顔器。
【請求項３】
発光素子は顔面の目じりから頬に向けて縦方向に配置するとともに額に沿って横方向に配置してなる請求項１又は２に記載の美顔器。
【考案の詳細な説明】
【技術分野】
【０００１】
本考案は、小型軽量で装着したままでも移動できる美顔器に関する。
【背景技術】
【０００２】
従来、流体を気化又は霧化した噴出物質が顔面全体に広がってあたるとともに顔面にあたらずに周囲に飛散するのを防止できる美顔器として、内面側に顔面洗浄空間を形成するカップ本体と、顔面洗浄空間側に顔面全体を臨ませ得る開口部とを具備する顔面用カップを有するとともに噴出口をカップ本体の内面側に多数設けたものが知られている（特許文献１）。
また、ボウル部を有する洗浄水受けと、水タンクと、ボウル部内に設置される噴射ノズルと洗浄水を溜める洗面器と、マイクロバブル発生装置とを具備した洗顔器がある（特許文献２）。
【０００３】
しかし、これらは、いずれも装置が大型かつ構造も複雑で、洗顔作業は、これらの装置の設置場所で行わなければならないし、また、洗顔作業中は、それに専念しなければならず他の作業等を行うことはできない。
そこで、本考案者は、小型軽量で、顔面に装着したまま移動することができるようにした美顔器を開発している（特許文献３）が、光を照射することにより更なる美顔効果の向上が期待できる美顔器が望まれている。
【先行技術文献】
【特許文献】
【０００４】
【特許文献１】特開２００３−６７２号公報
【特許文献２】特開２０１２−１９８２５号公報
【特許文献３】実用新案登録第３１８７２４４号公報
【考案の概要】
【考案が解決しようとする課題】
【０００５】
そこで、本考案は、小型軽量で、顔面に装着したまま移動することができ、光の照射により更なる美顔効果の期待できる美顔器を提供することを目的とする。
【課題を解決するための手段】
【０００６】
上記の課題を解決するために、請求項１に係る考案は、マイクロバブルを混入した水を生成するマイクロバブル水発生装置を設け、該マイクロバブル水発生装置の水流入口に水を供給する手動ポンプを備え、前記マイクロバブル水発生装置を収容するとともに生成したマイクロバブル混入水を貯留する小容量の収容容器を設け、該収容容器の底部にマイクロバブル混入水の流出路を形成し、該流出路の途中に霧化装置を設け、顔面を覆い顔面との間に空間部を形成するマスクを設け、該マスクの上部に前記収容容器と流出路と霧化装置とを収容するとともに前記流出路の出口となり前記空間部内に連通する噴霧口を形成し、前記マスクを顔に装着する装着具を備え、前記マスクには少なくとも目と対向する位置に開口を設け、前記マスクの内面に顔面に向けて光を照射する発光素子を備えてなること、を特徴としている。
請求項２に係る考案は、発光素子をＬＥＤ（発光ダイオード）としたものである。
請求項３に係る考案は、発光素子を顔面の目じりから頬に向けて縦方向に配置するとともに額に沿って横方向に配置したものである。
【考案の効果】
【０００７】
請求項１に係る考案は、マイクロバブル水発生装置を収容するとともに生成したマイクロバブル混入水を貯留する小容量の収容容器を設け、該収容容器の底部にマイクロバブル混入水の流出路を形成し、該流出路の途中に霧化装置を設け、顔面を覆い顔面との間に空間部を形成するマスクを設け、該マスクの上部に前記収容容器と流出路と霧化装置とを収容するとともに前記流出路の出口となり前記空間部内に連通する噴霧口を形成し、前記マスクを顔に装着する装着具を備え、前記マスクには少なくとも目と対向する位置に開口を設けたので、美顔器全体が小型軽量で、美顔器を顔に装着したまま移動することができ、また他の作業を行いながら使用することができる。
また、収容容器内に溜まったマイクロバブル混入水は、自重により流出路を流下し、霧化装置で霧化されて下流の噴霧口からマスクの空間部に霧状（ミスト）となって噴霧され、顔面全体に広がることになる。
また、マスク内面に顔面に向けて光を照射する発光素子を備えてなるので、ミスト、マイクロバブル、光の照射による相乗効果により美顔効果の向上が期待できる。
請求項２に係る考案は、発光素子をＬＥＤ（発光ダイオード）としたので、不要な紫外線や赤外線を含まない所望の色（波長）の光を照射することができる。
請求項３に係る考案は、発光素子を顔面の目じりから頬に向けて縦方向に配置するとともに額に沿って横方向に配置したので、万遍なく顔面に光を照射することができ、顔面全体に美顔効果を発揮できる。
【図面の簡単な説明】
【０００８】
【図１】本考案の実施例による美顔器の正面図である。
【図２】本考案の実施例による美顔器の断面側面図である。
【図３】本考案の実施例による美顔器において周縁部のクッション材を外した状態の背面図である。
【図４】本考案の実施例による美顔器を装着した状態を示す断面側面図である。
【図５】収容容器部の要部断面側面図である。
【図６】マイクロバブル水発生装置の断面側面図である。
【図７】手動ポンプの一部断面正面図である。
【図８】圧電素子の斜視図である。
【考案を実施するための形態】
【０００９】
以下、本考案の実施例を図面に基づいて具体的に説明する。本考案の実施例による美顔器１は、マイクロバブルを混入した水を生成するマイクロバブル水発生装置２、該マイクロバブル水発生装置２を収容する小容量の収容容器１４、マイクロバブル混入水を霧状（ミスト）にする霧化装置２０、及び顔面を覆うマスク３０を主な構成要素とする。
【００１０】
マイクロバブル水発生装置２は、空気をマイクロバブルの状態で水に混入させるもので、図６に示すようになっている。なお、水は、通常の水でも精製水でもよい。ケーシング３内に大径の流入口４、小径の絞り流路５、及び拡開部６を上流から下流に向けて順次同軸に連通形成する。流入口４は継手７を介して注入器８に接続されている。
前記絞り流路５の下流部に段状に大径となる環状の負圧室９を形成し、該負圧室９に小径の空気流入路１０を半径方向外方から連通させる。該空気流入路１０の外端部をケーシング３の外方に突出させ、その突出部１１に空気供給管１２を接続する。
前記拡開部６は、絞り流路５の下流端から下流側に向かって次第に大径となる円錐状に形成し、端面は絞り流路５と対面する広面積の衝突壁６ａとする。拡開部６の端部外周に複数の流出口１３を形成し、該流出口１３から拡開部６内で生成したマイクロバブル混入水を収容容器１４内に流出させる。
後述する手動ポンプによって圧送される水は、絞り流路５を高速で流通し、負圧室９に負圧を発生させ、この部で空気流入路１０から空気を取り込みながら拡開部６の内部で空気が水にマイクロバブルの状態で混入したマイクロバブル混入水が効率よく生成されることになる。
【００１１】
前記注入器８には、図７に示すような手動ポンプ１５を接続して水又は精製水（以下、単に水という）を注入する。手動ポンプ１５は、円筒状のシリンダ（外筒）１６内にピストン（内筒）１７を摺動可能に嵌合したもので、注射器と同様の構造のものである。
【００１２】
上記のマイクロバブル水発生装置２は小容量の収容容器１４内に収容される（図５）。収容容器１４の内容量は３〜２０ｍｌの範囲が好ましい。本実施例では３ｍｌである。このように、小容量であるので、全体の重さも軽く、装着したままでも重さを感じることがない。
なお、本実施例でのマイクロバブル水発生装置２本体の寸法は、φ６ｍｍ×２０ｍｍ程度である。
【００１３】
収容容器１４の底部の中心部にはマイクロバブル混入水の流出口１８を形成してあり、その流出路１９は下方に向かって延び、その流出路１９の途中に圧電素子からなる霧化装置２０を設けてあり、その下流側からマイクロバブル水が霧状（ミスト）になって流下することになる。
圧電素子（霧化装置）２０は、図８に示すように、円板状に形成され、中心部には水が通過可能な流通部２１が設けられており、この流通部２１をマイクロバブル水が霧化されて流下する。符号２２はリード線である。
霧化装置２０は上下から円板状の挟持板２３，２４により水密に挟持される。挟持板２３、２４の中心部が流出路１９となっている。符号２５，２６はＯリングである。そして、前記流出路１９の下端は霧状となったマイクロバブル水の噴霧口２７となっている。符号２９は収容容器のキャップである。
【００１４】
これら、収容容器１４、流出路１９、霧化装置２０は円筒状のハウジング２８内に収容され、該ハウジング２８は、マスク３０の上部に取り付けられる。これにより、一連の装置がコンパクトにマスクの上部に収容されることになる。なお、符号３２は霧化スイッチ、３３は充電コネクター、３４は充電ランプである。
【００１５】
マスク３０は、顔面を覆うもので、顔面形状に略対応した形状に形成され、装着した際に顔面との間に所定の空間部３６を有するように形成してある。
また、マスク３０には目、鼻に対応する位置に開口３８を形成してある。なお、目以外の鼻部の開口３８は任意であり、口部に開口を形成してもよい。
【００１６】
マスク３０内面の左右には、目じり部から頬に沿って縦方向に発光素子であるＬＥＤ（発光ダイオード）３５ａを複数個（本例では８個）配置してある。また、額部には横方向にＬＥＤ３５ｂを複数個（本例では６個）配置してある。このような配列で配置することにより、顔面全体に万遍なくＬＥＤ光が照射されることになる。なお、ＬＥＤの配置数や配置箇所は適宜変更可能である。図３において符号３７はＬＥＤのスイッチである。
ＬＥＤは不要な紫外線や赤外線を含まない光が簡単に得られ、光源として好ましい。
光の色に応じて肌への効果が異なり、青色はアクネ菌を破壊してニキビに効果があるとされ、黄色はリンパの流れを活性化し、赤色はヒト線維芽細胞が増えコラーゲンの生成を増殖させる等の効果が期待され、白色は細胞を活性化させリフトアップやタルミに効果が期待されている。
このように、光の色によって様々な美肌効果が得られるので、所望の効果の期待できる色のＬＥＤを選択することにより、所望の美肌効果が期待できる。
単色のＬＥＤを配列してもよく、複数の色のＬＥＤを配列し所望の色を選択できるようにすることもできる。
【００１７】
マスク３０の両側部にゴムバンドからなる装着具３９を備えてある。なお、装着具３９は、ゴムバンド以外の手段によってもよい。これにより、マスク３０（美顔器１）を顔に装着した状態で動くことができる。また、マスク３０には、少なくとも目と対向する位置に開口３８を形成してあるので、美顔器１を顔に装着したまま、テレビを観たり、読書をしたり、家事をしたりすることができる。
【００１８】
マスク本体の顔に当たる周縁部には軟質素材からなるクッション材４０を取り付けて、顔の当たりがソフトとなるようにしてある。また、顔面との密着性もよく、空間部３６に流下した霧が周縁部から漏れ出し難くなる。
【００１９】
上記の構成からなる美顔器１の使用方法を説明する。先ず、手動ポンプ１５のシリンダ１６内に所定量（３ｍｌ）の水を収容して、その注出口１６ａをマイクロバブル水発生装置２の注入器８に装着し、手動ポンプ１５のピストン１７を押して、シリンダ１６内の水を注入器８を介してマイクロバブル水発生装置２の流入口４に勢いよく注入する。注入終了後、手動ポンプ１５を注入器８から取り外す。
手動ポンプ１５によって圧送（注入）された水は、絞り流路５を高速で流通し、負圧室９に負圧を発生させ、この部で空気流入路１０から空気を取り込みながら拡開部６の内部で空気が水にマイクロバブルの状態で混入したマイクロバブル混入水が効率よく生成され、流出口１３から収容容器１４内に流出し、該収容容器１４内に溜まる（図５）。
この状態でマスク３０を顔に装着し、霧化スイッチ３２を入れると、霧化装置（圧電素子）２０が作動しマイクロバブル混入水が霧化されて（霧化量は１ｍｌ／分）、下流の流出路１９を流下し、噴霧口２７からマスク３０の空間部３６内に噴霧される。上記では、噴霧時間は３分程度である。また、ＬＥＤのスイッチ３７を入れると、ＬＥＤ光が顔面を照射することになる。照射時間は３分程度である。なお、上記した数値（水注入量、圧電素子の霧化量、噴霧時間、ＬＥＤの照射時間）は、一例であって限定されるものではない。
【００２０】
これにより、ミストによる潤いの供給、マイクロバブルによる血行促進効果が期待される。また、マイクロバブルによる毛穴の汚れ除去効果、マイクロバブルのソフトな刺激と顔面がミストに包まれることによる安息効果が発揮されることになる。
また、ＬＥＤ照射による上述した美肌効果も期待できる。さらに、ＬＥＤ照射により肌に対してミストの浸透を促進する働きも知られており、ミスト、マイクロバブル、ＬＥＤ照射の相乗効果による美肌効果が期待できる。
【００２１】
マスク３０には、少なくとも目に対応する部位に開口３８が形成されているので、マスク３０（美顔器１）を装着したまま移動したり、テレビを観たり、読書したり、家事を行うこともできる。また、密閉状態になく、開口部３８から霧（ミスト）が抜けていくことから、その分圧迫感が軽減される。鼻や口に対向する位置に開口３８を形成すれば、さらに圧迫感が軽減される。
【符号の説明】
【００２２】
１  美顔器
２  マイクロバブル水発生装置
３  ケーシング
４  流入口
５  絞り流路
６  拡開部
７  継手
８  注入器
９  負圧室
１０  空気流入路
１１  突出部
１２  空気供給管
１３  流出口
１４  収容容器
１５  手動ポンプ
１６  シリンダ
１７  ピストン
１８  流出口
１９  流出路
２０  霧化装置
２１  流通部
２２  リード線
２３，２４  挟持板
２５，２６  Ｏリング
２７  噴霧口
２８  ハウジング
２９  キャップ
３０  マスク
３２  霧化スイッチ
３３  充電コネクター
３４  充電ランプ
３５ａ，３５ｂ  ＬＥＤ
３６  空間部
３７  ＬＥＤスイッチ
３８  開口
３９  装着具（ゴムバンド）
４０  クッション材
【図１】
0003207572.tif 000003
【図２】
0003207572.tif 000004
【図３】
0003207572.tif 000005
【図４】
0003207572.tif 000006
【図５】
0003207572.tif 000007
【図６】
0003207572.tif 000008
【図７】
0003207572.tif 000009
【図８】
0003207572.tif 000010